(57)【要約】【課題】大型化することなく大きな風量を得ることが可能で、かつ、ユーザの希望に応じて集塵機能や脱臭機能の効率を選択的に向上できるようにする。【解決手段】本体１内部の略中央に支持されたモータ１９と、該モータ１９の回転軸２０に固定されたシロッコファン２１と、該シロッコファン２１により吸引する空気流路に配設されたフィルタとからなる空気清浄機において、空気流路として、本体１の前面側から吸引する第１空気流路１３と、本体１の後面側から吸引する第２空気流路１４とを設けるとともに、フィルタとして、集塵フィルタ２６、脱臭フィルタ２７および集塵・脱臭フィルタ２５のうち、少なくとも２種を設け、これらのフィルタ２５，２６，２７を、第１，第２空気流路１３，１４に選択的に配置可能に構成する。【選択図】　図１
2004077095.tif 000002
【特許請求の範囲】
【請求項１】
本体内部の略中央に支持されたモータと、該モータの回転軸に固定されたシロッコファンと、該シロッコファンにより吸引する空気流路に配設されたフィルタとからなる空気清浄機において、
前記空気流路として、前記本体の前面側から吸引する第１空気流路と、本体の後面側から吸引する第２空気流路とを設けるとともに、
前記フィルタとして、集塵フィルタ、脱臭フィルタおよび集塵・脱臭フィルタのうち、少なくとも２種を設け、
これらのフィルタを、前記第１，第２空気流路に選択的に配置可能としたことを特徴とする空気清浄機。
【請求項２】
前記第２空気流路を遮断する遮断手段を更に設け、前面側の第１空気流路からのみ外部の空気を吸引可能としたことを特徴とする請求項１に記載の空気清浄機。
【請求項３】
前記遮断手段は、前記第２空気流路に着脱可能に配置する軟質な樹脂シートからなることを特徴とする請求項２に記載の空気清浄機。
【請求項４】
前記遮断手段は、前記本体の後面に着脱可能に配設するカバーからなることを特徴とする請求項２に記載の空気清浄機。
【発明の詳細な説明】
【０００１】
【発明の属する技術分野】
本発明は、空気清浄機に関するものである。
【０００２】
【従来の技術】
この種の空気清浄機は、フィルタ、モータおよびファンを有し、ファンによる吸引力で室内の空気を前面側から吸引し、フィルタを通過させて集塵を行ない、清浄な空気を室内に循環供給するものである。そして、近年では、空気に含まれる埃や臭いなどを確実に集塵および脱臭することが望まれている。
【０００３】
この空気清浄機におけるフィルタに関連する先行技術文献情報としては次のものがある。
【０００４】
【特許文献１】
特開平１−１５９０３２号
【特許文献２】
特開２０００−１２６５２７号
【０００５】
特許文献１に記載の空気清浄機では、前記フィルタとして、ケーシングの空気吸込口側より、埃やダニの死骸等のハウスダストを集塵するファイバフィルタまたは静電集塵フィルタ等の集塵フィルタ、および、活性炭を混合することによって臭気を吸着できるようにした別体の脱臭フィルタを着脱可能に配置し、集塵および脱臭を可能に構成している。
【０００６】
また、特許文献２に記載の空気清浄機では、前記フィルタとして、集塵用の濾材に活性炭を混合して一層の集塵・脱臭フィルタを形成し、この集塵・脱臭フィルタを本体に着脱可能に配置し、集塵および脱臭を可能に構成している。
【０００７】
【発明が解決しようとする課題】
しかしながら、前記空気清浄機では、集塵機能または脱臭機能の効率をユーザが希望に応じて選択し、かつ、効率的に清浄できないという問題があった。即ち、空気清浄機において、室内の空気の清浄効率を向上するには、空気清浄機自体の風量を確保するために、モータおよびファンの容量を大きくする必要があるが、このようにした場合には本体が大型化するという問題がある。
【０００８】
そこで、本発明では、大型化することなく大きな風量を得ることが可能で、かつ、ユーザの希望に応じて集塵機能や脱臭機能の効率を選択的に向上できる空気清浄機を提供することを課題とするものである。
【０００９】
【課題を解決するための手段】
前記課題を解決するため、本発明の空気清浄機は、本体内部の略中央に支持されたモータと、該モータの回転軸に固定されたシロッコファンと、該シロッコファンにより吸引する空気流路に配設されたフィルタとからなる空気清浄機において、前記空気流路として、前記本体の前面側から吸引する第１空気流路と、本体の後面側から吸引する第２空気流路とを設けるとともに、前記フィルタとして、集塵フィルタ、脱臭フィルタおよび集塵・脱臭フィルタのうち、少なくとも２種を設け、これらのフィルタを、前記第１，第２空気流路に選択的に配置可能に構成としている。
【００１０】
前記空気清浄機によれば、第１空気流路によって前方から本体内に室内の空気が吸引されるとともに、第２空気流路によって後方から本体内に室内の空気が吸引されるため、モータを大容量のものを使用することなく、吸引する風量および循環供給する風量を増加することができる。しかも、フィルタとして、集塵フィルタ、脱臭フィルタおよび集塵・脱臭フィルタのうち少なくとも２種を設け、これらを選択的に配置できるように構成しているため、ユーザの希望に応じて集塵機能および脱臭機能の効率を向上することができる。
【００１１】
前記空気清浄機では、前記第２空気流路を遮断する遮断手段を更に設け、前面側の第１空気流路からのみ外部の空気を吸引可能とすることが好ましい。具体的には、前記遮断手段は、前記第２空気流路に着脱可能に配置する軟質な樹脂シートからなることが好ましい。または、前記遮断手段は、前記本体の後面に着脱可能に配設するカバーからなるようにしてもよい。
このようにすれば、従来の空気清浄機と同様の設置場所で、同様の機能および効率を得ることもできる。
【００１２】
【発明の実施の形態】
以下、本発明の実施の形態を図面に従って説明する。
図１から図３は、本発明の実施形態に係る空気清浄機を示す。この空気清浄機は、大略、本体１と、モータ１９と、シロッコファン２１と、フィルタ２５，２６，２７とからなる。
【００１３】
前記本体１は、大略、本体ケース２と、前面カバー１７と、後面カバー１８とからなり、これらは全て合成樹脂によって形成されている。
【００１４】
前記本体ケース２は、前壁３と、該前壁３の両端から後側に延びる側壁４とからなる後面開口の矩形状の箱体からなる。前記前壁３の後面には、後述するシロッコファン２１の周囲を通って清浄した空気を外部に循環供給する空気排出流路５を形成するための隔壁６が一体に突設されている。この隔壁６の上端には、清浄した空気を室内に循環供給する空気排出口７が形成されている。また、この本体ケース２の開口した後端は、後プレート８をネジ止めすることにより閉塞されている。
【００１５】
前記前壁３には、その中央に後向きに窪む前側フィルタ配設部９が設けられ、該前側フィルタ配設部９における前記空気排出流路５の略中央に第１空気流通口１０が設けられている。また、前記後プレート８には、その中央に前向きに窪む後側フィルタ配設部１１が設けられ、該後側フィルタ配設部１１における前記空気排出流路５の略中央に第２空気流通口１２が設けられている。前記第１空気流通口１０は、後述する前面カバー１７を通して前方から吸引した室内の空気を前記空気排出流路５内に前側から通すための第１空気流路１３を構成する。また、前記第２空気流通口１２は、後述する後面カバー１８を通して後方から吸引した室内の空気を前記空気排出流路５内に後側から通すための第２空気流路１４を構成する。さらに、後側フィルタ配設部１１において前記第２空気流通口１２を設けた面は平坦面となるように形成されている。
【００１６】
また、前記本体１において、前記前側フィルタ配設部９の周囲には前面カバー取付部１５が設けられるとともに、前記後側フィルタ配設部１１の周囲には後面カバー取付部１６が設けられている。これら取付部１５，１６には、図示しない周知の係止部が設けられている。
【００１７】
前記前面カバー１７および後面カバー１８は、前記取付部１５，１６を外嵌する形状をなし、その表面には、空気を通すための多数のスリット１７ａ、１８ａが水平方向に延びるようにそれぞれ形成されている。また、これらカバー１７，１８には、前記本体１に設けた係止部に着脱可能に係止する図示しない周知の被係止部が設けられている。
【００１８】
前記モータ１９は、前記本体ケース２の空気排出流路５内に固定されており、その回転軸２０は後面カバー１８に向け延びるように配置されている。
【００１９】
前記シロッコファン２１は、円形の支持板２２と、該支持板２２の外周部に配設された多数の羽根２３とからなる。このシロッコファン２１は、支持板２２の取付孔に前記モータ１９の回転軸２０を挿入し、ナット等で固定されている。また、前記支持板２２には、後プレート８の第２空気流通口１２と一致する空気流通口２４が形成されている。これにより、シロッコファン２１は、前面側からと後面側からの両方からの吸引が可能になる。
【００２０】
前記フィルタとしては、本実施形態では、集塵・脱臭フィルタ２５と、専用の集塵フィルタ２６と、専用の脱臭フィルタ２７の３種が適用される。
【００２１】
前記集塵・脱臭フィルタ２５は、前記前側フィルタ配設部９に着脱可能に配設されるもので、数ミクロンの極細繊維を濾材とし、０．３μｍの微粒子に対して９９．９７％以上の初期集塵効率を備えたＨＥＰＡ（Ｈｉｇｈ　Ｅｆｆｉｃｉｅｎｃｙ　Ｐａｒｔｉｃｕｌａｔｅ　Ａｉｒ）フィルタに、繊維状活性炭を均一に混合したものである。この集塵・脱臭フィルタ２５は、例えば、抄造によって成形されるもので、極細繊維を抄く際に繊維状活性炭を全体にわたって均一に混合することにより、フィルタシートとして形成される。その後、表面積を広くするために形成したフィルタシートを連続した波状に湾曲させ、その外周に枠体を配設することにより、集塵および脱臭機能を有する一層のフィルタとして構成される。なお、繊維状活性炭の代わりに微粒子状の活性炭を使用してもよい。
【００２２】
前記集塵フィルタ２６は、前記後側フィルタ配設部１１に着脱可能に配設されるもので、数ミクロンの極細繊維を濾材としたＨＥＰＡ（Ｈｉｇｈ　Ｅｆｆｉｃｉｅｎｃｙ　Ｐａｒｔｉｃｕｌａｔｅ　Ａｉｒ）フィルタからなる。即ち、この集塵フィルタ２６は、活性炭を混合しない点でのみ、前記集塵・脱臭フィルタ２５と相違する。
【００２３】
前記脱臭フィルタ２７は、前記後側フィルタ配設部１１に着脱可能に配設されるもので、繊維状活性炭または粒子状活性炭を、骨材となる不織布または発泡ウレタン等を用いてシート状に成形したものである。
【００２４】
なお、本実施形態では、図２に示すように、後側フィルタ配設部１１には、ユーザが希望に応じて軟質な樹脂シート２８からなる遮断手段を配設し、選択的に第２空気流路１４からの空気の吸引を不可能とし、前面側からの第１空気流路１３からのみ外部の空気を吸引可能に構成できるようにしている。
【００２５】
次に、前記空気清浄機における空気の循環供給動作について説明する。
この空気清浄機では、モータ１９を動作させるとファンが回転し、空気清浄機の前方の空気は、前面カバー１７のスリット１７ａから空気清浄機の内部に吸引される。この前方から吸引された空気は、第１空気流路１３および前壁３の第１空気流通口１０を通ってファンを配設した空気排出流路５内に至る。
【００２６】
また、空気清浄機の後方の空気は、後面カバー１８のスリット１８ａから空気清浄機の内部に吸引される。この後方から吸引された空気は、第２空気流路１４および後プレート８の第２空気流通口１２を通ってファンを配設した空気排出流路５内に至る。
【００２７】
このようにしてシロッコファン２１に至った空気は、空気排出流路５内において前記シロッコファン２１の周囲を通り、空気排出口７から空気清浄機の外部、即ち、室内に循環供給される。
【００２８】
このように、本実施形態の前記空気清浄機では、第１空気流路１３によって前方から本体１内に室内の空気が吸引されるとともに、第２空気流路１４によって後方から本体１内に室内の空気が吸引されるため、吸引する風量および循環供給する風量を増加することができる。具体的には、従来の同じ大きさのファンを搭載した空気清浄機と比較すると、約１．５倍〜２倍の大きな風量を得ることができる。その結果、大きな風量を得るためにモータ１９を大容量のものを使用する必要はない。そのため、空気清浄機自体を大型化することなく、大きな風量を得ることができる。
【００２９】
なお、前記空気清浄機において、前方から吸引された空気は、前側フィルタ配設部９に配設した集塵・脱臭フィルタ２５により集塵および脱臭され、この清浄された空気が空気排出流路５に至って室内に循環供給される。
【００３０】
そして、後側フィルタ配設部１１において、図１に示すように、ユーザが、遮断手段である樹脂シート２８を配設せずに、集塵フィルタ２６と脱臭フィルタ２７の両方を配設した場合には、後方から吸引された空気は、集塵フィルタ２６によって集塵された後、脱臭フィルタ２７によって脱臭され、この清浄された空気が空気排出流路５に至って室内に循環供給される。即ち、このようにすれば、集塵と脱臭の両方の機能の効率を向上することができる。
【００３１】
また、後側フィルタ配設部１１において、図３（Ａ）に示すように、ユーザが、遮断手段である樹脂シート２８および脱臭フィルタ２７を使用せずに、集塵フィルタ２６のみを配設した場合には、後方から吸引された空気は、集塵フィルタ２６によって集塵され、この清浄された空気が空気排出流路５に至って室内に循環供給される。即ち、このようにすれば、集塵機能だけの効率を向上することができる。
【００３２】
また、後側フィルタ配設部１１において、図３（Ｂ）に示すように、ユーザが、遮断手段である樹脂シート２８および集塵フィルタ２６を使用せずに、脱臭フィルタ２７のみを配設した場合には、後方から吸引された空気は、脱臭フィルタ２７によって脱臭され、この清浄された空気が空気排出流路５に至って室内に循環供給される。即ち、このようにすれば、脱臭機能だけの効率を向上することができる。
【００３３】
また、後側フィルタ配設部１１において、図３（Ｃ）に示すように、ユーザが、遮断手段である樹脂シート２８を後プレート８に接触するように配置するとともに、集塵フィルタ２６および脱臭フィルタ２７を配設した場合には、シロッコファン２１による吸引力により前記樹脂シート２８が第２空気流通口１２を密着してシールする。そのため、後側からの空気の吸引はなされない。
【００３４】
このように、本実施形態の空気清浄機では、前後両方から外部の空気を吸引でき、しかも、従来と同一のモータ１９およびファンで吸排気に係る効率を向上できる。そのため、室内の中央に設置して空気の清浄動作を行う場合に好適である。更に、前述のように、後面側に配置するフィルタ２６，２７を希望に応じて変更することにより、集塵および脱臭の希望の機能を向上することができる。
【００３５】
また、後側フィルタ配設部１１に樹脂シート２８を配設することにより、後方からの吸気は停止し、従来と同様の前方からの吸気のみとすることができる。即ち、室内の壁際に設置して空気の清浄動作を行う場合には、この形態とすることが好ましい。なお、この状態では、使用しない２つのフィルタ２６，２７を後側フィルタ配設部１１に配設しておくことができる。そのため、この使用状態で、使用しないフィルタ２６，２７を紛失する恐れはない。
【００３６】
なお、本発明の空気清浄機は前記実施形態の構成に限定されるものではない。例えば、前記実施形態では、第２空気流路１４を遮断する遮断手段として樹脂シート２８を設けたが、該樹脂シート２８の代わりに、図４（Ａ）に示すように、前記スリットを設けていない後面カバー２９を更に設け、該後面カバー２９を本体１の後面側に配設してもよい。また、図４（Ｂ）に示すように、スリット１８ａを設けた前記後面カバー１８を覆い隠す軟質の樹脂カバー３０を設けてもよい。
【００３７】
さらに、前記実施形態では、集塵・脱臭フィルタ２５と、集塵フィルタ２６と、脱臭フィルタの３種のフィルタを設けたが、例えば集塵フィルタ２６と脱臭フィルタ２７とをそれぞれ２個づつ設け、前側フィルタ配設部９に対してもユーザが希望に応じたフィルタを選択して使用できるようにしてもよい。即ち、前記３種のフィルタのうち、少なくとも２種のフィルタを設け、希望に応じてユーザが選択的に配置可能とすればよい。
【００３８】
【発明の効果】
以上の説明から明らかなように、本発明の空気清浄機では、第１空気流路によって前方から本体内に室内の空気が吸引されるとともに、第２空気流路によって後方から本体内に室内の空気が吸引されるため、モータを大容量のものを使用することなく、吸引する風量および循環供給する風量を増加することができる。
【００３９】
しかも、フィルタとして、集塵フィルタ、脱臭フィルタおよび集塵・脱臭フィルタのうち少なくとも２種を設け、これらを選択的に配置できるように構成しているため、ユーザの希望に応じて集塵機能および脱臭機能の効率を向上することができる。
【００４０】
また、後方からの吸気を行う第２空気流路を遮断する手段を設け、選択的に後方からの吸気を停止し、従来と同様の前方からの吸気のみとすることができるため、従来の空気清浄機と同様の設置場所で、同様の機能および効率を得ることもできる。
【００４１】
さらに、不要な機能を有するフィルタは使用しないため、そのフィルタの劣化を防止できる。言い換えれば、頻繁に使用するフィルタのみが使用時間に応じて劣化するため、フィルタ交換の費用を安価にすることができる。
【図面の簡単な説明】
【図１】本発明の実施形態に係る空気清浄機を示す断面図である。
【図２】前面カバーと後面カバーおよびフィルタを分解した状態を示す断面図である。
【図３】（Ａ），（Ｂ），（Ｃ）は後側フィルタ配設部へのフィルタの配設状態を示す断面図である。
【図４】（Ａ），（Ｂ）は空気清浄機の変形例を示す断面図である。
【符号の説明】
１…本体、５…空気排出流路、７…空気排出口、８…後プレート、１０…第１空気流通口、１２…第２空気流通口、１３…第１空気流路、１４…第２空気流路、１７…前面カバー、１８…後面カバー、１９…モータ、２０…回転軸、２１…シロッコファン、２５…集塵・脱臭フィルタ、２６…集塵フィルタ、２７…脱臭フィルタ、２８…樹脂シート（遮断手段）、２９…後面カバー（遮断手段）、３０…樹脂カバー（遮断手段）。
【図１】
2004077095.tif 000003
【図２】
2004077095.tif 000004
【図３】
2004077095.tif 000005
【図４】
2004077095.tif 000006